(57)【要約】容器（３４）と、ヒンジ（３６）の周りを回動可能となっている蓋体（１２）とを備え、該蓋体（１２）は、蓋体上壁（１６）と、蓋体前壁（２４）と、二つの対向する蓋体側壁（３０、３２）とを備え、前記蓋体（１２）は、さらに、蓋体上壁カウンターパネル（１６ｂ）、第１安定化フラップ（１６ｃ）及び第２安定化フラップ（１６ｄ）を備え前記蓋体上壁（１６）の接触表面（１６ａ−２）に結合された強化構造（１６ｂ〜１６ｄ）を備え、前記強化構造は、さらに、前記第１安定化フラップ（１６ｃ）における端縁（１８）の少なくとも一部が、前記蓋体上壁カウンターパネル（１６ｂ）における第１端縁（２０）の少なくとも一部に合わさり、且つ、前記第２安定化フラップ（１６ｄ）における端縁（２２）の少なくとも一部が、前記蓋体上壁カウンターパネル（１６ｂ）における第２端縁（２０）の少なくとも一部に合わさるように構成されている、消費者製品用包装体（１４）、特に喫煙具用包装体（１４）の蓋体（１２）。【選択図】図１ｂ
2018530483.tif 000002
【特許請求の範囲】
【請求項１】
消費者製品用包装体（１４）、特に喫煙具用包装体（１４）であって、
容器下壁（４０）、並びに、該容器下壁（４０）から延びる、容器前壁（４２）、容器後壁（３８）、及び、二つの対向する容器側壁（４４、４６）であってそれぞれが前記容器前壁（４２）を前記容器後壁（３８）に接続している前記容器側壁（４４、４６）、により定められた区画が形成された、容器（３４）であって、
前記容器前壁（４２）、前記容器後壁（３８）及び前記二つの容器側壁（４４、４６）は、前記区画にアクセスできるようにするための前記容器下壁（４０）に対向している上部開口を定めている、容器（３４）と、
蓋体上壁（１６）、蓋体前壁（２４）、蓋体後壁（２８）、及び、二つの対向する蓋体側壁（３０、３２）であってそれぞれが前記蓋体前壁（２４）を前記蓋体後壁（２８）に接続している前記蓋体側壁（３０、３２）、を備えた、蓋体（１２）であって、
前記蓋体（１２）は、前記容器前壁（４２）、前記容器後壁（３８）又は前記容器側壁（４４、４６）の一つ、のうちいずれか一つに対してヒンジ（３６）の周りを閉じた位置と開いた位置との間で回動可能となっており、
前記蓋体（１２）は、閉じた位置においては前記容器（３４）の前記上部開口を閉じており、開いた位置においては後方に傾けられて前記上部開口を通して前記容器（３４）における前記区画にアクセス可能にする、蓋体（１２）と、を備え、
前記蓋体（１２）は、さらに、前記蓋体上壁（１６）の接触表面（１６ａ−２）に結合された強化構造（１６ｂから１６ｄ）を備え、
該強化構造は、前記蓋体前壁（２４）又は前記蓋体後壁（２８）から延びている蓋体上壁カウンターパネル（１６ｂ）、前記二つの蓋体側壁（３０、３２）のうち第１蓋体側壁（３０）から延びている第１安定化フラップ（１６ｃ）、及び、前記二つの蓋体側壁（３０、３２）のうち第２蓋体側壁（３２）から延びている第２安定化フラップ（１６ｄ）を備え、
前記強化構造は、さらに、前記第１安定化フラップ（１６ｃ）における端縁（１８）の少なくとも一部が、前記蓋体上壁カウンターパネル（１６ｂ）における第１端縁（２０）の少なくとも一部に合わさり、且つ、前記第２安定化フラップ（１６ｄ）における端縁（２２）の少なくとも一部が、前記蓋体上壁カウンターパネル（１６ｂ）における第２端縁（２０）の少なくとも一部に合わさるように、構成されている、包装体（１４）。
【請求項２】
少なくとも前記蓋体上壁カウンターパネル（１６ｂ）が、該蓋体上壁カウンターパネル（１６ｂ）が結合した前記蓋体上壁（１６）の前記接触表面（１６ａ−２）に対向する前記蓋体上壁カウンターパネル（１６ｂ）の内側表面（１６ｂ−１）に印刷された印を備える、請求項１に記載の包装体（１４）。
【請求項３】
前記蓋体前壁（２４）が、該蓋体前壁（２４）における蓋体前壁パネル（２４ａ）に結合されたもう一つの強化構造（２４ｂ）を備える、請求項１又は２に記載の包装体（１４）。
【請求項４】
前記蓋体上壁カウンターパネル（１６ｂ）は、長方形状であり、且つ、前記第１蓋体側壁（３０）から前記第２蓋体側壁（３２）への方向における前記蓋体上壁カウンターパネル（１６ｂ）の最大寸法は、前記二つの蓋体側壁（３０、３２）の間の最大距離よりも小さい、請求項１乃至３いずれか１項に記載の包装体（１４）。
【請求項５】
前記蓋体上壁カウンターパネル（１６ｂ）は、前記蓋体前壁（２４）に隣接する第１基端、及び、該第１基端に平行であり且つ該第１基端より小さく前記蓋体後壁（２８）に隣接する第２基端を有する台形状である、請求項１乃至３いずれか１項に記載の包装体（１４）。
【請求項６】
前記二つの蓋体側壁（３０、３２）それぞれには、二つのサイドフラップ（３０ａ、３０ｂ、３２ａ、３２ｂ）が形成されている、請求項１乃至５いずれか１項に記載の包装体（１４）。
【請求項７】
前記二つの容器側壁（４４、４６）それぞれには、二つの容器サイドフラップ（４４ａ、４４ｂ、４６ａ、４６ｂ）が形成されている、請求項１乃至６いずれか１項に記載の包装体（１４）。
【請求項８】
消費者製品用包装体（１４）、特に喫煙具用包装体（１４）を折り曲げて組み立てるための包装体用ブランク（１０）であって、
蓋体上壁パネル（１６ａ）、蓋体上壁カウンターパネル（１６ｂ）、第１安定化フラップ（１６ｃ）及び第２安定化フラップ（１６ｄ）を備え、
前記包装体（１４）の蓋体（１２）における蓋体上壁（１６）が、前記蓋体上壁パネル（１６ａ）、前記蓋体上壁カウンターパネル（１６ｂ）、前記第１安定化フラップ（１６ｃ）及び前記第２安定化フラップ（１６ｄ）を備え、且つ、前記蓋体上壁パネル（１６ａ）の外側表面（１６ａ−１）が、前記蓋体上壁（１６）の外側表面（１６ａ−１）を形成するように、前記包装体用ブランク（１０）は、前記包装体へと折り曲げて組み立て可能となっており、
前記第１安定化フラップ（１６ｃ）における端縁（１８）の少なくとも一部が、前記蓋体上壁カウンターパネル（１６ｂ）における第１端縁（２０）の少なくとも一部に合わさり、且つ、前記第２安定化フラップ（１６ｄ）における端縁（２２）の少なくとも一部が、前記蓋体上壁カウンターパネル（１６ｂ）における第２端縁（２０）の少なくとも一部に合わさるように、前記蓋体上壁カウンターパネル（１６ｂ）、前記第１安定化フラップ（１６ｃ）及び前記第２安定化フラップ（１６ｄ）のそれぞれは、前記蓋体上壁パネル（１６ａ）の前記外側表面（１６ａ−１）に対向する前記蓋体上壁パネル（１６ａ）の接触表面（１６ａ−２）に直接結合可能となっている、包装体用ブランク（１０）。
【請求項９】
前記蓋体上壁カウンターパネル（１６ｂ）は、長方形状であり、且つ、前記蓋体上壁カウンターパネル（１６ｂ）の長手方向における最大寸法は、前記蓋体上壁パネル（１６ａ）の長手方向における最大寸法よりも小さく、
前記ブランクの長手方向における前記第１安定化フラップ及び前記第２安定化フラップ（１６ｃ、１６ｄ）の寸法は、実質的には、前記蓋体上壁パネル（１６ａ）及び前記蓋体上壁カウンターパネル（１６ｂ）それぞれの最大寸法の差の５０％に等しい、請求項８に記載の包装体用ブランク（１０）。
【請求項１０】
前記蓋体上壁カウンターパネル（１６ｂ）は、前記蓋体上壁パネル（１６ａ）に隣接する大基端と、該大基端に平行であり且つ該大基端に対向している小基端とを有する台形状であり、
前記第１安定化フラップ及び前記第２安定化フラップ（１６ｃ、１６ｄ）は、前記蓋体上壁カウンターパネル（１６ｂ）、前記第１安定化フラップ（１６ｃ）及び前記第２安定化フラップ（１６ｄ）が、前記蓋体上壁パネル（１６ａ）の前記接触表面（１６ａ−２）に、折り曲げられて結合されることにより、前記蓋体上壁カウンターパネル（１６ｂ）の側端縁に合わさるように構成された上部自由端縁を備える四辺形状である、請求項８に記載の包装体用ブランク（１０）。
【請求項１１】
第１折曲線（２６ａ）により前記蓋体上壁パネル（１６ａ）から区切られた蓋体前壁パネル（２４ａ）と、
第２折曲線（２６ｂ）により前記蓋体前壁パネル（２４ａ）から区切られ、且つ、第３折曲線（２６ｃ）により前記蓋体上壁カウンターパネル（１６ｂ）から区切られた蓋体前壁カウンターパネル（２４ｂ）と、
前記第１折曲線（２６ａ）に対向している第４折曲線（２６ｄ）により前記蓋体上壁パネル（１６ａ）から区切られた蓋体後壁パネル（２８ａ）と、
少なくとも一つの折曲線（３１）により前記蓋体前壁パネル（２４ａ）からそれぞれが
区切られたサイドフラップ（３０ａ、３２ａ）の第１の組と、
少なくとも一つの折曲線（３１）により前記蓋体後壁パネル（２８ａ）からそれぞれが区切られたサイドフラップ（３０ｂ、３２ｂ）の第２の組と、
第５折曲線（２６ｅ）により前記第２の組のうちの第１サイドフラップ（３０ｂ）から区切られている前記第１安定化フラップ（１６ｃ）と、
第６折曲線（２６ｆ）により前記第２の組のうちの第２サイドフラップ（３２ｂ）から区切られている前記第２安定化フラップ（１６ｄ）と、
をさらに備える、請求項８乃至１０いずれか１項に記載の包装体用ブランク（１０）。
【請求項１２】
第７折曲線（２６ｇ）により前記蓋体後壁パネル（２８ａ）から区切られている容器後壁パネル（３８ａ）と、
第８折曲線（２６ｈ）により前記容器後壁パネル（３８ａ）から区切られている容器下壁パネル（４０ａ）と、
第９折曲線（２６ｉ）により前記容器下壁パネル（４０ａ）から区切られている容器前壁パネル（４２ａ）と、
少なくとももう一つの折曲線（３１）により前記容器後壁パネル（３８ａ）からそれぞれが区切られている二つの容器サイドフラップ（４４ａ、４６ａ）の第１の組と、
少なくとももう一つの折曲線（３１）により前記容器前壁パネル（４２ａ）から区切られている二つの容器サイドフラップ（４４ｂ、４６ｂ）の第２の組と、
第１０折曲線（２６ｊ）により前記第１の組のうちの第１容器サイドフラップ（４４ａ）から区切られている第１強化舌部（４０ｂ）と、
第１１折曲線（２６ｋ）により前記第１の組のうちの第２容器サイドフラップ（４６ａ）から区切られている第２強化舌部（４０ｃ）と、
をさらに備える、請求項１１に記載の包装体用ブランク（１０）。
【請求項１３】
請求項８乃至１２いずれか１項に記載のブランクを折り曲げて組み立てることにより請求項１乃至７いずれか１項に記載の包装体（１４）を形成する方法であって、
前記第１安定化フラップ（１６ｃ）における端縁（１８）の少なくとも一部が、前記蓋体上壁カウンターパネル（１６ｂ）における第１端縁（２０）の少なくとも一部に合わさり、且つ、前記第２安定化フラップ（１６ｄ）における端縁（２２）の少なくとも一部が、前記蓋体上壁カウンターパネル（１６ｂ）における第２端縁（２０）の少なくとも一部に合わさるように、前記蓋体上壁カウンターパネル（１６ｂ）、前記第１安定化フラップ（１６ｃ）及び前記第２安定化フラップ（１６ｄ）を、前記蓋体上壁パネル（１６ａ）の前記外側表面（１６ａ−１）に対向する前記蓋体上壁パネル（１６ａ）の接触表面（１６ａ−２）に、直接結合する、方法。
【請求項１４】
前記蓋体前壁パネル（２４ａ）が前記蓋体前壁（２４）の前記外側表面を形成するように、前記蓋体前壁カウンターパネル（２４ｂ）を前記第２折曲線（２６ｂ）にて折り曲げ且つ前記蓋体前壁パネル（２４ａ）に結合し、
前記第１の組のうちの前記第１サイドフラップ（３０ａ）と前記第２の組のうちの前記第１サイドフラップ（３０ｂ）とを結合することにより、第１蓋体側壁（３０）を形成し、
前記第１の組のうちの前記第２サイドフラップ（３２ａ）と前記第２の組のうちの前記第２サイドフラップ（３２ｂ）とを結合することにより、前記第１蓋体側壁（３０）に対向する第２蓋体側壁（３２）を形成する、請求項１３に記載の方法。
【請求項１５】
容器後壁（３８）を前記容器後壁パネル（３８ａ）から形成し、ここで、前記蓋体（１２）は、前記第７折曲線（２６ｇ）により実現されるヒンジ（３６）を介して前記蓋体後壁（３８）に連結されており、
容器下壁（４０）を、前記第１強化舌部（４０ｂ）と前記第２強化舌部（４０ｃ）とを前記容器下壁パネル（４０ａ）に結合することにより形成し、
前記容器後壁（３８）に対向する容器前壁（４２）を、前記容器前壁パネル（４２ａ）から形成し、
第１容器側壁（４４）を、前記第１の組のうちの前記第１容器サイドフラップ（４４ａ）と前記第２の組のうちの前記第１容器サイドフラップ（４４ｂ）とを結合することにより形成し、
前記第１容器側壁（４４）に対向する第２容器側壁（４６）を、前記第１の組のうちの前記第２容器サイドフラップ（４６ａ）と前記第２の組のうちの前記第２容器サイドフラップ（４６ｂ）とを結合することにより形成する、請求項１４に記載の方法。
【発明の詳細な説明】
【技術分野】
【０００１】
本発明は、消費者製品用包装体、特に喫煙具用包装体に関する。また、本発明は、消費者製品用包装体、特に喫煙具用包装体を折り曲げて組み立てるための包装体用ブランクに関する。さらに、本発明は、このようなブランクを折り曲げて組み立てることによりこのような包装体を形成する方法に関する。
【背景技術】
【０００２】
本発明は、あらゆる種類の消費者製品用包装体に関するが、本発明は、例えば、たばこ用包装体に関し、ここでは、包装体用ブランクをヒンジ式の蓋体を備えた包装体へ折り曲げて組み立てることにより作成される包装体に関して述べられる。一般的に、消費者製品用包装体は、該包装体の目に見える外側表面に印刷された情報を示し、該情報は、例えば、ブランド品目及び製品についての消費者向けの情報と、たばこ用包装体の場合における義務付けられた健康への警告のような法的に義務付けられた情報とを含んでいる。この印刷された情報は、前記包装体用ブランクの印刷側が前記包装体の外側表面を形成するように前記包装体用ブランクを折り曲げて組み立てることにより包装体を形成する前に、前記包装体用ブランクの一方側に印刷される。
【０００３】
一般的に、たばこや他の厳しく規制された産業において、前記包装体に印刷される法的に義務付けられた情報は増加しており、その結果、前記包装体の外側表面における該当する表面領域もまた増加している。結果として、ブランドや製品情報のような他の消費者向け情報のために残されている表面領域は、割合的に減少している。
【０００４】
このため、消費者製品の製造者は、全ての義務付けられた法的要求に適合すると同時に、消費者に製品情報を伝達するための、前記包装体における利用可能な印刷表面領域の最適化を図っている。
【０００５】
特許文献１には、ヒンジ式の蓋体を備えた喫煙具用包装体が記載されており、該包装体は、該包装体における蓋体上壁の内側表面に、該包装体を開いた後に購入者の目に見える追加的情報が付与されることになる。前記蓋体における前記蓋体上壁の内側表面に追加的情報を付与するために、前記包装体は、前記蓋体の上壁から延びており、且つ、前記蓋体の前壁、上壁及び後壁に対して前記蓋体の内側に折り曲げられる、カウンターパネル構造を備える。しかし、特許文献１に記載された特別な蓋体を備える包装体は、前記蓋体の内側におけるカウンターパネル構造、特に前記後壁及び前記上壁におけるカウンターパネル構造により付与される追加的な材料層のために、形成すること及び閉じることが特に困難となる。この追加的な材料層は、前記包装体を製造するための材料コストもかなり増加させる。
【先行技術文献】
【特許文献】
【０００６】
【特許文献１】国際公開第２０１４／０９７２００号
【発明の概要】
【発明が解決しようとする課題】
【０００７】
それゆえに、本発明は、上記された欠点なしに、蓋体上壁の内側表面に印刷された情報を有するヒンジ式の蓋体を備えた包装体において、伝達スペースを増加させるための、少なくとも一つの改善された機会を付与することを課題とする。
【課題を解決するための手段】
【０００８】
本発明の種々の態様は、独立請求項１及び８に列挙される。
【０００９】
本発明に係る消費者製品用包装体、特に喫煙具用包装体は、
容器下壁、並びに、該容器下壁から延びる、容器前壁、容器後壁、及び、二つの対向する容器側壁であってそれぞれが前記容器前壁を前記容器後壁に接続している前記容器側壁、により定められた区画が形成された、容器であって、
前記容器前壁、前記容器後壁及び前記二つの容器側壁は、前記区画にアクセスできるようにするための前記容器下壁に対向している上部開口を定めている、容器と、
蓋体上壁、蓋体前壁、蓋体後壁、及び、二つの対向する蓋体側壁であってそれぞれが前記蓋体前壁を前記蓋体後壁に接続している前記蓋体側壁、を備えた、蓋体であって、
前記蓋体は、前記容器前壁、前記容器後壁又は前記容器側壁の一つ、のうちのいずれか一つに対してヒンジの周りを閉じた位置と開いた位置との間において回動可能になっており、
前記蓋体は、閉じた位置においては前記容器の前記上部開口を閉じており、開いた位置においては後方に傾けられて前記上部開口を通して前記容器における前記区画にアクセス可能にする、蓋体と、を備え、
前記蓋体は、さらに、前記蓋体上壁の接触表面に結合された強化構造を備え、
該強化構造は、前記蓋体前壁から延びている蓋体上壁カウンターパネル、第１蓋体側壁から延びている第１安定化フラップ、及び、第２蓋体側壁から延びている第２安定化フラップを備え、
前記強化構造は、さらに、前記第１安定化フラップにおける端縁の少なくとも一部が、前記蓋体上壁カウンターパネルにおける第１端縁の少なくとも一部に合わさり、且つ、前記第２安定化フラップにおける端縁の少なくとも一部が、前記蓋体上壁カウンターパネルにおける第２端縁の少なくとも一部に合わさるように、構成されている。
【００１０】
さらに、本発明に係る消費者製品用包装体、特に喫煙具用包装体を折り曲げて組み立てるための包装体用ブランクは、
蓋体上壁パネル、蓋体上壁カウンターパネル、第１安定化フラップ及び第２安定化フラップを備え、
前記包装体の蓋体における蓋体上壁が、前記蓋体上壁パネル、前記蓋体上壁カウンターパネル、前記第１安定化フラップ及び前記第２安定化フラップを備え、且つ、前記蓋体上壁パネルの外側表面が、前記蓋体上壁の外側表面を形成するように、前記包装体用ブランクは、包装体へと折り曲げて組み立て可能となっており、
前記第１安定化フラップにおける端縁の少なくとも一部が、前記蓋体上壁カウンターパネルにおける第１端縁の少なくとも一部に合わさり、且つ、前記第２安定化フラップにおける端縁の少なくとも一部が、前記蓋体上壁カウンターパネルにおける第２端縁の少なくとも一部に合わさるように、前記蓋体上壁カウンターパネル、前記第１安定化フラップ及び前記第２安定化フラップのそれぞれは、前記蓋体上壁パネルの前記外側表面に対向する前記蓋体上壁パネルの接触表面に直接結合可能となっている。
【００１１】
本発明のさらなる態様は、各従属請求項に列挙される。
【００１２】
前記包装体の好ましい形態においては、少なくとも前記蓋体上壁カウンターパネルが、該蓋体上壁カウンターパネルが結合した前記蓋体上壁の前記接触表面に対向する前記蓋体上壁カウンターパネルの内側表面に印刷された印を備えてもよい。
【００１３】
また、前記包装体の好ましい形態においては、前記蓋体前壁が、該蓋体前壁における蓋体前壁パネルに結合されたもう一つの強化構造を備える。
【００１４】
好ましくは、前記蓋体上壁カウンターパネルは、長方形状であり、且つ、前記第１蓋体側壁から前記第２蓋体側壁への方向における前記蓋体上壁カウンターパネルの最大寸法は、二つの蓋体側壁の間の最大距離よりも小さい。
【００１５】
前記包装体の他の好ましい形態においては、前記蓋体上壁カウンターパネルは、前記蓋体前壁に隣接する第１基端、及び、該第１基端に平行であり且つ該第１基端より小さく前記蓋体後壁に隣接する第２基端を有する台形状である。
【００１６】
前記包装体の有利な形態においては、前記二つの蓋体側壁それぞれには、二つのサイドフラップが形成されている。
【００１７】
前記包装体のさらに有利な形態においては、前記二つの容器側壁それぞれには、二つの容器サイドフラップが形成されている。
【００１８】
前記包装体用ブランクの好ましい形態においては、前記蓋体上壁カウンターパネルは、長方形状であり、且つ、前記蓋体上壁カウンターパネルの長手方向における最大寸法は、前記蓋体上壁パネルの長手方向における最大寸法よりも小さく、
前記ブランクの長手方向における前記第１安定化フラップ及び前記第２安定化フラップの寸法は、実質的には、前記蓋体上壁パネル及び前記蓋体上壁カウンターパネルそれぞれの最大寸法の差の５０％に等しい。
【００１９】
あるいは、前記蓋体上壁カウンターパネルは、前記蓋体上壁パネルに隣接する大基端、及び、該大基端に平行であり且つ該大基端に対向している小基端を有する台形状であり、
前記第１安定化フラップ及び前記第２安定化フラップは、前記蓋体上壁パネルの前記接触表面に、前記蓋体上壁カウンターパネル、前記第１安定化フラップ及び前記第２安定化フラップが折り曲げられて結合されることにより、前記蓋体上壁カウンターパネルの側端縁に合わさるように構成された上部自由端縁を備える四辺形状である。
【００２０】
前記包装体用ブランクの他の好ましい形態においては、前記包装体用ブランクは、さらに、第１折曲線により前記蓋体上壁パネルから区切られた蓋体前壁パネルと、
第２折曲線により前記蓋体前壁パネルから区切られ、且つ、第３折曲線により前記蓋体上壁カウンターパネルから区切られた蓋体前壁カウンターパネルと、
前記第１折曲線に対向している第４折曲線により前記蓋体上壁パネルから区切られた蓋体後壁パネルと、
少なくとも一つの折曲線により前記蓋体前壁パネルからそれぞれが区切られたサイドフラップの第１の組と、
少なくとも一つの折曲線により前記蓋体後壁パネルからそれぞれが区切られたサイドフラップの第２の組と、
第５折曲線により前記第２の組のうちの第１サイドフラップから区切られている前記第１安定化フラップと、
第６折曲線により前記第２の組のうちの第２サイドフラップから区切られている前記第２安定化フラップと、を備える。
【００２１】
好ましくは、前記包装体用ブランクは、さらに、
第７折曲線により前記蓋体後壁パネルから区切られている容器後壁パネルと、
第８折曲線により前記容器後壁パネルから区切られている容器下壁パネルと、
第９折曲線により前記容器下壁パネルから区切られている容器前壁パネルと、
少なくとももう一つの折曲線により前記容器後壁パネルからそれぞれが区切られている二つの容器サイドフラップの第１の組と、
少なくとももう一つの折曲線により前記容器前壁パネルから区切られている二つの容器サイドフラップの第２の組と、
第１０折曲線により前記第１の組のうちの第１容器サイドフラップから区切られている第１強化舌部と、
第１１折曲線により前記第１の組のうちの第２容器サイドフラップから区切られている第２強化舌部と、を備える。
【００２２】
本発明は、さらに、開示した前記ブランクにおける形態の一つを折り曲げて組み立てることにより、上記の包装体を形成する方法を提供し、
前記第１安定化フラップにおける端縁の少なくとも一部が、前記蓋体上壁カウンターパネルにおける第１端縁の少なくとも一部に合わさり、且つ、前記第２安定化フラップにおける端縁の少なくとも一部が、前記蓋体上壁カウンターパネルにおける第２端縁の少なくとも一部に合わさるように、前記蓋体上壁カウンターパネル、前記第１安定化フラップ及び前記第２安定化フラップを、前記蓋体上壁パネルの外側表面に対向する前記蓋体上壁パネルの接触表面に直接結合する。
【００２３】
前記方法の好ましい形態においては、前記蓋体前壁パネルが前記蓋体前壁の前記外側表面を形成するように、前記蓋体前壁カウンターパネルを前記第２折曲線にて折り曲げ且つ前記蓋体前壁パネルに結合し、
前記第１の組の前記第１サイドフラップと前記第２の組の前記第１サイドフラップとを結合することにより第１蓋体側壁を形成し、
前記第１の組の前記第２サイドフラップと前記第２の組の前記第２サイドフラップとを結合することにより、前記第１蓋体側壁に対向する第２蓋体側壁を形成する。
【００２４】
好ましくは、容器後壁を、前記容器後壁パネルから形成し、
前記蓋体は、前記第７折曲線により実現されるヒンジを介して前記蓋体後壁に連結されており、
容器下壁を、前記第１強化舌部と前記第２強化舌部とを前記容器後壁パネルに結合することにより形成し、
前記容器後壁に対向する容器前壁を、前記容器前壁パネルから形成し、
第１容器側壁を、前記第１の組のうちの前記第１容器サイドフラップと前記第２の組のうちの前記第１容器サイドフラップとを結合することにより形成し、
前記第１容器側壁に対向する第２容器側壁を、前記第１の組のうちの前記第２容器サイドフラップと前記第２の組のうちの前記第２容器サイドフラップとを結合することにより形成する。
【図面の簡単な説明】
【００２５】
【図１ａ】図１ａは、第１実施形態に係る消費者製品用包装体を折り曲げて組み立てるための包装体用ブランクの平面図である。
【図１ｂ】図１ｂは、第１実施形態に係る包装体用ブランクから形成された包装体の斜視図である。
【図２】図２は、第２実施形態に係る、消費者製品用包装体を折り曲げて組み立てるための包装体用ブランクの平面図である。
【図３ａ】図３ａは、第３実施形態に係る、消費者製品用包装体を折り曲げて組み立てるための包装体用ブランクの平面図である。
【図３ｂ】図３ｂは、第３実施形態に係る包装体用ブランクから形成された包装体の斜視図である。
【図４】図４は、第４実施形態に係る、消費者製品用包装体を折り曲げて組み立てるための包装体用ブランクの平面図である。
【００２６】
図において、同一符号は、同一の又は機能的に等価な構成要素を示す。
【発明を実施するための形態】
【００２７】
図１ａ及び図１ｂは、第１実施形態に係る、消費者製品用包装体を折り曲げて組み立てるための包装体用ブランクの平面図、及び、該包装体用ブランクから形成された包装体の斜視図を示す。
【００２８】
図１ａに示された前記包装体用ブランク１０は、例えば、厚紙により作成することができる。前記包装体用ブランク１０は、第１ブランク面１０−１と第２ブランク面１０−２とを有する。前記第１ブランク面１０−１は、少なくとも一つの印（例えば、少なくとも一つの、文字且つ／又は記号）が前記第１ブランク面１０−１に印刷されるときに、良好な印刷品質を確保するように作製することができる。前記第１ブランク面１０−１に対向する前記第２ブランク面１０−２は、印刷されていても、印刷されていなくてもよい。好ましくは、前記包装体用ブランク１０は、略一定のブランク厚みｄ（図１ａに示されていない）を有する。
【００２９】
前記包装体用ブランク１０は、消費者製品用包装体１４、特に、たばこ、シガリロ、葉巻のような喫煙具のための包装体１４に折り曲げて組み立て可能である。このような物品は、単に、「喫煙具」と呼ぶことができる。しかし、本発明は、たばこ用包装に制限されない。むしろ、前記包装体用ブランク１０は、あらゆる消費者製品を包装するために使用することができる。
【００３０】
前記包装体用ブランク１０は、少なくとも、蓋体上壁パネル１６ａ、蓋体上壁カウンターパネル１６ｂ、第１安定化フラップ１６ｃ及び第２安定化フラップ１６ｄを備える。前記包装体用ブランク１０は、前記包装体１４に折り曲げて組み立てることができるように、前記包装体１４における蓋体１２の蓋体上壁１６が、前記蓋体上壁パネル１６ａ、前記蓋体上壁カウンターパネル１６ｂ、前記第１安定化フラップ１６ｃ及び前記第２安定化フラップ１６ｄを備える。
【００３１】
図１ａの包装体用ブランク１０を折り曲げて組み立てることにより得られた包装体１４における蓋体１２の内側が、図１ｂに示されている。前記蓋体上壁パネル１６ａの外側表面１６ａ−１は、前記蓋体上壁１６の外側表面を形成している。該外側表面１６ａ−１は、図１ｂに示されていない。前記蓋体上壁カウンターパネル１６ｂ、前記第１安定化フラップ１６ｃ及び前記第２安定化フラップ１６ｄそれぞれは、（前記蓋体上壁パネル１６ａの前記外側表面１６ａ−１に対向する）前記蓋体上壁パネル１６ａの接触表面１６ａ−２に、直接結合可能になっている／結合されている。図１ｂに見られるように、前記蓋体上壁カウンターパネル１６ｂ、前記第１安定化フラップ１６ｃ及び前記第２安定化フラップ１６ｄそれぞれは、前記蓋体上壁パネル１６ａの前記接触表面１６ａ−２に直接結合されて、前記第１安定化フラップ１６ｃにおける端縁１８の少なくとも一部が、前記蓋体上壁カウンターパネル１６ｂにおける第１端縁２０の少なくとも一部に合わさるようになっている（前記第１安定化フラップ１６ｃの前記端縁１８は、前記蓋体上壁パネル１６ａの前記接触表面１６ａ−２に接触している前記第１安定化フラップ１６ｃの接触表面１６ｃ−１と、前記蓋体１２の内側を向く前記第１安定化フラップ１６ｃの内側表面１６ｃ−２との間にあるものとして定義される。同様に、前記蓋体上壁カウンターパネル１６ｂの第１／第２端縁２０は、前記蓋体上壁パネル１６ａの前記接触表面１６ａ−２に接触している前記蓋体上壁カウンターパネル１６ｂの接触表面１６ｂ−２と、前記蓋体上壁カウンターパネル１６ｂの内側表面１６ｂ−１との間にあるものとして定義される。）。さらに、前記第２安定化フラップ１６ｄの端縁２０の少なくとも一部は、前記蓋体上壁カウンターパネル１６ｂにおける第２端縁２０の少なくとも一部に合わさる（前記第２安定化フラップ１６ｄの前記端縁２２は、前記蓋体上壁パネル１６ａにおける前記接触表面１６ａ−２に接触している前記第２安定化フラップ１６ｄの接触表面１６ｄ−１と、前記蓋体１２の内側を向く前記第２安定化フラップの内側表面１６ｄ−２との間にあるものとして定義される。）。
【００３２】
このようにして、前記蓋体上壁カウンターパネル１６ｂ、前記第１安定化フラップ１６ｃ及び前記第２安定化フラップ１６ｄは、ともに、前記ブランク厚みｄに実質的に等しい層の厚みを有する単一層を形成している。このため、前記蓋体上壁１６の総厚みは、単に前記ブランク厚みｄの２倍に、前記蓋体上壁パネル１６ａと構成要素１６ｂ〜１６ｄとの間における接着層の厚みを加えた厚みとなる。このため、図１ｂに示された蓋体１２の厚みは、何らカウンターパネル１６ｂを備えない（且つ、さらに、先行技術と比較してより薄い蓋体上壁１６を有する）、標準的なヒンジ式の喫煙具用包装の蓋体の厚みと実質的に同じになる。このように、いくつかの標準的な喫煙具用包装体と同じくらい、前記蓋体１２を備える前記包装体１４の封止が容易となる。
【００３３】
さらに、図１ｂに見られるように、前記第１安定化フラップ１６ｃの前記端縁１８及び前記第２安定化フラップ１６ｄの前記端縁２２それぞれは、前記蓋体上壁カウンターパネル１６ｂの端縁２０に直接接触している。このように、前記第１安定化フラップ１６ｃの前記端縁１８及び前記第２安定化フラップ１６ｄの前記端縁２２それぞれは、前記蓋体上壁カウンターパネル１６ｂの前記端縁２０に寄りかかっている。前記蓋体上壁カウンターパネル１６ｂの前記端縁２０に対して、前記二つの安定化フラップ１６ｃ及び１６ｄの前記端縁１８及び２２が寄りかかっていることは、さらに前記蓋体１２の機械的安定性を増加させる。このため、前記蓋体１２は、標準的な喫煙具用包装体と比較して、該蓋体１２に作用するあらゆる圧力／力、特に、前記蓋体上壁１６及び前記蓋体１２のいくつかの側壁における外側表面に作用するあらゆる圧力／力に対する抵抗が向上されていることを示す。
【００３４】
さらに、前記蓋体上壁カウンターパネル１６ｂの前記接触表面１６ｂ−２が、前記蓋体上壁パネル１６ａの前記接触表面１６ａ−２に直接結合されるため、有利には、前記蓋体上壁カウンターパネル１６ｂの前記内側表面１６ｂ−１は、前記蓋体１２の内側を向いており、それによって、前記蓋体１２内に内側印刷領域が付与され、該内側印刷領域では、前記包装体１４を開けたときに、前記蓋体上壁カウンターパネル１６ｂの前記内側表面１６ｂ−１に、少なくとも、一つの文字、記号及び／又はあらゆる他の印が使用者に見えるようになっている。
【００３５】
このため、前記蓋体上壁１６に追加された前記蓋体上壁カウンターパネル１６ｂが、前記包装体１４に追加的印刷スペースを付与するために、図１ａ及び１ｂの実施形態は、標準的なヒンジ式の包装体と比較して、前記包装体１４に、消費者に知らせるために必要な印刷情報を十分に付与することを容易にする。
【００３６】
さらに、前記蓋体上壁カウンターパネル１６ｂの前記内側表面１６ｂ−１に少なくとも一つの印（例えば少なくとも一つの文字及び／又は記号）が、（折り曲げて組み立てられていない包装体用ブランク１０の）前記第１ブランク面１０−１に印刷されるため、前記蓋体上壁カウンターパネル１６ｂの前記内側表面１６ｂ−１における少なくとも一つの印は良好な印刷品質を有する。さらに、前記第１ブランク面１０−１は、前記包装体１４の（ほとんど）全ての外側表面に使用することもできる。それゆえに、（折り曲げて組み立てられていない包装体用ブランク１０の）前記第１ブランク面１０−１のみが印刷される一回だけの印刷パスにより、前記包装体１４における前記外側表面の他の全ての印刷とともに、前記蓋体上壁カウンターパネル１６ｂの前記内側表面１６ｂ−１に少なくとも一つの印を付与することが可能となる。このように、前記第２ブランク面１０−２は、前記蓋体１２の内側に情報を表示するために印刷される必要がある。
【００３７】
図１ａの実施形態において、前記包装体用ブランク１０は、前記蓋体上壁パネル１６ａ、（第１折曲線２６ａにより前記蓋体上壁パネル１６ａから区切られている）蓋体前壁パネル２４ａ、（第２折曲線２６ｂにより前記蓋体前壁パネル２４ａから区切られている）蓋体前壁カウンターパネル２４ｂ及び（第３折曲線２６ｃにより前記蓋体前壁カウンターパネル２４ｂから区切られている）前記蓋体上壁カウンターパネル１６ｂを備える。前記包装体用ブランク１０に形成された前記蓋体１２は、蓋体前壁２４を備え、該蓋体前壁２４は、（蓋体前壁２４の外側の）前記蓋体前壁パネル２４ａ及び（蓋体前壁２４の内側の）前記蓋体前壁カウンターパネル２４ｂにより形成されている。
【００３８】
図１ａに見られるように、前記包装体用ブランク１０は、さらに、蓋体後壁パネル２８ａを備え、該蓋体後壁パネル２８ａは、（前記第１折曲線２６ａに対向する）第４折曲線２６ｄにより前記蓋体上壁パネル１６ａから区切られている。このように、前記蓋体１２に、前記蓋体後壁パネル２８ａが形成された（前記蓋体前壁２４に対向する）蓋体後壁２８を付与することが可能となる。
【００３９】
前記包装体用ブランク１０を折り曲げて組み立てるために、さらに有利には、前記包装体用ブランク１０は、二つのサイドフラップ３０ａ及び３２ａの第１の組を備え、該第１の組それぞれのサイドフラップ３０ａ及び３２ａは、少なくとも別の折曲線３１により（二つのサイドフラップ３０ａ及び３２ａの前記第１の組の間に位置する）前記蓋体前壁パネル２４ａから区切られており、前記包装体用ブランク１０は、二つのサイドフラップ３０ｂ及び３２ｂの第２の組を備え、該第２の組それぞれのサイドフラップ３０ｂ及び３２ｂは、少なくとも別の折曲線３１により（二つのサイドフラップ３０ｂ及び３２ｂの前記第２の組の間に位置する）前記蓋体後壁パネル２８ａから区切られている。これにより、前記包装体用ブランク１０に形成される前記包装体１４の前記蓋体１２に、前記第１の組のうちの第１サイドフラップ３０ａ及び前記第２の組のうちの第１サイドフラップ３０ｂにより形成される第１蓋体側壁３０、並びに、前記第１の組のうちの第２サイドフラップ３２ａ及び前記第２の組のうちの第２サイドフラップ３２ｂにより形成される（前記第１蓋体側壁３０に対向する）第２蓋体側壁３２を、付与することが容易になる。
【００４０】
図１ａ及び１ｂの実施形態において、前記第１安定化フラップ１６ｃは、第５折曲線２６ｅにより前記第２の組のうちの前記第１サイドフラップ３２ｂから区切られており、前記第２安定化フラップ１６ｄは、第６折曲線２６ｆにより前記第２の組のうちの前記第２サイドフラップ３２ｂから区切られている。しかし、他の実施形態においては、さらに、前記第１の組のうちの前記第１サイドフラップ３０ａに隣接した前記第１安定化フラップ１６ｃ、及び／又は、前記第１の組のうちの前記第２サイドフラップ３２ａに隣接した前記第２安定化フラップ１６ｄを付与することも可能である。
【００４１】
図１ａに示した前記包装体用ブランク１０は、標準的なヒンジ式の蓋体を備えた包装のように、前記蓋体１２が、開いた位置と閉じた位置との間において前記容器３４に対して回転可能となるように、前記蓋体１２が、ヒンジ３６を介して前記包装体１４の容器３４に連結するようにして前記包装体１４を形成するために設計されている。図１ｂは、前記蓋体１２及び前記容器３４を備えている前記包装体１４を示し、前記蓋体は開いた位置となっている。このようにして、前記包装体１４の購買者は、前記容器３４の開放側を通して、前記包装体１４から物品を取り出すことができる。前記容器３４の開放側は、前記蓋体１２が閉じた位置となったときに（図示せず）、前記蓋体１２により覆われる。前記容器３４に前記ヒンジ３６を介した前記蓋体１２の有利な連結を付与するために、前記包装体用ブランク１０は、さらに、容器後壁パネル３８ａを備え、該容器後壁パネル３８ａは、第７折曲線２６ｇにより前記蓋体後壁パネル２８ａから区切られている。このようにして、前記容器３４の容器後壁３８を前記容器後壁パネル３８ａにより形成することが可能となる。さらに、前記第７折曲線２６ｇは、前記容器３４に前記蓋体１２をつなぐためのヒンジ３６としても作用する。
【００４２】
前記包装体用ブランク１０は、さらに、（第８折曲線２６ｈにより前記容器後壁パネル３０ａから区切られた）容器下壁パネル４０ａ及び（第９折曲線２６ｉにより前記容器下壁パネル４０ａから区切られた）容器前壁パネル４２ａを備える。このようにして、容器下壁４０を少なくとも部分的な前記容器下壁パネル４０ａにより、及び、（前記容器後壁３８に対向する）容器前壁４２を前記容器前壁パネル４２ａにより形成することが可能となる。図１ａに示された前記包装体用ブランク１０は、さらに、二つの容器サイドフラップ４４ａ及び４６ａの第１の組を備え、該第１の組それぞれの容器サイドフラップ４４ａ及び４６ａは、少なくとも別の折曲線３１により、（二つの容器サイドフラップ４４ａ及び４６ａの前記第１の組の間に位置する）前記容器後壁パネル３８ａから区切られており、且つ、二つの容器サイドフラップ４４ｂ及び４６ｂの第２の組を備え、該第２の組それぞれの容器サイドフラップ４４ｂ及び４６ｂは、少なくとも別の折曲線３１により、（二つの容器サイドフラップ４４ｂ及び４６ｂの前記第２の組の間に位置する）前記容器前壁パネル４２ａから区切られている。これにより、前記第１の組のうちの第１容器サイドフラップ４４ａ及び前記第２の組のうちの第１容器サイドフラップ４４ｂを備える第１容器側壁４４、並びに、前記第１の組のうちの第２容器サイドフラップ４６ａ及び前記第２の組のうちの第２容器サイドフラップ４６ｂを備える（前記第１容器側壁４４に対向する）第２容器側壁４６、の形成が容易になる。
【００４３】
最後に、第１強化舌部４０ｂは、第１０折曲線２６ｊにより前記第１の組のうちの前記第１容器サイドフラップ４４ａから区切られていてもよく、第２強化舌部４０ｃは、第１１折曲線２６ｋにより前記第１の組のうちの前記第２容器サイドフラップ４６ａから区切られていてもよい（前記第１強化舌部４０ｂは、さらに、前記第２の組のうちの前記第１容器サイドフラップ４４ｂに隣接していてもよく、及び／又は、前記第２強化舌部４０ｃは、前記第２の組のうちの前記第２容器サイドフラップ４６ｂに隣接していてもよい。）。これら全ての場合において、前記容器下壁パネル４０ａ、前記第１強化舌部４０ｂ及び前記第２強化舌部４０ｃから前記容器下壁４０を形成することが可能となる。前記容器下壁パネル４０ａの外側表面は、前記容器下壁４０の外側表面を形成してもよく、このとき、前記第１強化舌部４０ｂ及び前記第２強化舌部４０ｃが、前記容器下壁パネル４０ａの接触表面に結合される。このようにして、前記容器下壁４０の良好な安定性が確保される。
【００４４】
図１ａ及び１ｂの例示として、（前記包装体用ブランク１０が折り曲げて組み立てられる前において）前記第１折曲線２６ａは、前記第３折曲線２６ｃに対して平行である。特に、全ての折曲線２６ａ〜２６ｋは、前記包装体用ブランク１０を前記包装体１４に折り曲げて組み立てられる前において、それぞれが互いに平行であってもよい。さらに、図１ａに見られるように、前記第３折曲線２６ｃに対して平行な前記蓋体上壁カウンターパネル１６ｂの最大寸法、例えば最大長さは、前記第１折曲線２６ａに対して平行な、すなわち、前記蓋体上壁パネル１６ａ及び前記蓋体上壁カウンターパネル１６ｂの長手方向における前記蓋体上壁パネル１６ａの最大寸法又は最大長さよりも短くてもよい。これにより、前記蓋体上壁カウンターパネル１６ｂの前記接触表面１６ｂ−２により覆われない、前記蓋体上壁パネル１６ａにおける前記接触表面１６ａ−２の「残余」領域が確保され、前記第１安定化フラップ１６ｃの前記端縁１８及び前記第２安定化フラップの前記端縁２２それぞれが、前記蓋体上壁カウンターパネル１６ｂの前記端縁２０に接触するように、前記二つの安定化フラップ１６ｃ及び１６ｄを結合するために十分な領域が確保される。さらに、（図１ａに示すように）前記第３折曲線２６ｃに平行な前記蓋体上壁カウンターパネル１６ｂの最大寸法は、前記蓋体前壁カウンターパネル２４ｂの最大寸法よりも小さい。好ましくは、前記蓋体上壁カウンターパネル１６ｂは、長方形状である。
【００４５】
図１ｂに見られるように、前記蓋体１２及び前記容器１４は、丸角に形成されてもよく、それぞれの丸角は、二つの隣接している蓋体壁２４、２８、３０及び３２／容器壁３８、４２、４４及び４６の間に配されている。このことは、サイドフラップ３０ａ、３０ｂ、３２ａ、３２ｂ、４４ａ、４４ｂ、４６ａ及び４６ｂそれぞれと、これらに隣接したパネル２４ａ、２８ａ、３８ａ及び４２ａそれぞれとの間に、いくつかの折曲線３１を挿入することにより可能となる。
【００４６】
前記包装体１４は、さらに、フレームを備えていてもよく、該フレームは、前記容器３４の開放側に部分的に突き出しており、前記蓋体１２が閉じた位置のときに前記蓋体１２の内側に接触するように、Ｕ字状に折り曲げられ、且つ、前記容器３４の内側に接続されている。このため、図１ａには、さらに、前記フレームを折り曲げて組み立てるためのブランク４８が示されている。図１ａに見られるように、前記ブランク４８は、フレームパネル４８ａと、該フレームパネル４８ａの各側端部に二つのフレームサイドフラップ４８ｂ及び４８ｃとを備えてもよい。前記フレームを折り曲げて組み立てた後に、前記フレームパネル４８ａとフレームサイドフラップ４８ｂ及び４８ｃそれぞれとの間に丸角を付与するために、前記フレームパネル４８ａとフレームサイドフラップ４８ｂ及び４８ｃそれぞれとの間にいくつかの折曲線５０が配されてもよい。さらに、前記フレームは、好ましくは、前記蓋体１２が閉じた位置のときに、摩擦を引き起こすために外側に突き出ている（折曲線３１の間に）一対の突起５２を有する。
【００４７】
図２は、第２実施形態に係る消費者製品用包装体を折り曲げて組み立てるための包装体用ブランクの平面図である。
【００４８】
図２の実施形態においては、サイドフラップ３０ａ、３０ｂ、３２ａ、３２ｂ、４４ａ、４４ｂ、４６ａ及び４６ｂそれぞれは、二つの折曲線３１により、これらに隣接するパネル２４ａ、２８ａ、３８ａ及び４２ａ、並びに、（二つの折曲線３１の間の）中間帯５４から区切られている。このようにして、八角形の蓋体上壁１６及び八角形の容器下壁４０を備える包装体１４を形成することが可能となる。さらに、サイドフラップ３０ａ、３０ｂ、３２ａ、３２ｂ、４４ａ、４４ｂ、４６ａ及び４６ｂそれぞれと、これらに隣接するパネル２４ａ、２８ａ、３８ａ及び４２ａとの間に、一つの折曲線３１のみを付与することにより、（厳密な）四角形状の包装体１４を形成することが可能となる。
【００４９】
図３ａ及び３ｂは、第３実施形態に係る、消費者製品用包装体を折り曲げて組み立てるための包装体用ブランクの平面図及び該包装体用ブランクから形成された包装体の斜視図である。
【００５０】
図３ａ及び３ｂの実施形態は、前記蓋体上壁カウンターパネル１６ｂ並びに前記安定化フラップ１６ｃ及び１６ｄの形状において、図１ａ及び１ｂに例示したものと異なる。図３ａ及び３ｂの実施形態においては、前記蓋体上壁カウンターパネル１６ｂにおける前記内側表面１６ｂ−１及び前記接触表面１６ｂ−２の両方が、台形である。前記包装体用ブランク１０が折り曲げて組み立てられる前において、前記蓋体上壁カウンターパネル１６ｂは、前記第３折曲線２６ｃに隣接した第１基端、及び、前記第３折曲線２６ｃに対向している前記蓋体上壁カウンターパネル１６ｂの末端に、前記第１基端に並行で且つ該第１基端より小さい第２基端を有する。さらに、前記安定化フラップ１６ｃ及び１６ｄは、傾斜している／台形である。ここでも、前記蓋体上壁パネル１６ａの前記外側表面１６ａ−１は、前記蓋体上壁１６の前記外側表面を形成している。前記蓋体上壁カウンターパネル１６ｂ、前記第１安定化フラップ１６ｃ及び前記第２安定化フラップ１６ｄのぞれぞれは、（前記蓋体上壁パネル１６ａの前記外側表面１６ａ−１に対向する）前記蓋体上壁パネル１６ａの接触表面１６ａ−２に直接結合している。前記第１安定化フラップ１６ｃにおける端縁１８の少なくとも一部は、前記蓋体カウンターパネル１６ｂの第１端縁２０の少なくとも一部に合わさり、且つ、前記第２安定化フラップ１６ｄにおける端縁２２の少なくとも一部は、前記蓋体カウンターパネル１６ｂの第２端縁２０の少なくとも一部に合わさる。これは、特に、前記安定化フラップ１６ｃ及び１６ｄの傾斜／台形の形状、並びに、前記蓋体上壁カウンターパネル１６ｂの形状により、（前記蓋体上壁パネル１６ａの前記接触表面１６ａ−２に、それらが直接結合された後において）確実にされる。
【００５１】
図４は、第４実施形態に係る消費者製品用包装体を折り曲げて組み立てるための包装体用ブランクの平面図である。
【００５２】
図４に示した包装体用ブランク１０は、サイドフラップ３０ａ、３０ｂ、３２ａ、３２ｂ、４４ａ、４４ｂ、４６ａ及び４６ｂを、それらに隣接するパネル２４ａ、２８ａ、３８ａ及び４２ａから区切る折曲線３１の数においてのみ、図３に例示したものと異なる。
【００５３】
上記した全ての実施形態は、蓋体上壁パネル１６ａに直接結合された蓋体上壁カウンターパネル１６ｂを有する。さらに、（前記安定化フラップ１６ｃ及び１６ｄの端縁１８及び２２が、前記蓋体上壁カウンターパネル１６ｂの前記端縁２０に接触するようにして、前記蓋体上壁パネル１６ａの前記接触表面１６ａ−２に、それらを直接結合させることを可能にする）前記安定化フラップ１６ｃ及び１６ｄを減らすこと／調節することは、蓋体の安定性をかなり改善する。これにより、前記蓋体１２が形状を維持するための、該蓋体における剛性の強化がさらに確保される。
【符号の説明】
【００５４】
１０：包装体用ブランク、１０−１：第１ブランク面、１０−２：第２ブランク面、
１２：蓋体、
１４：包装体、
１６：蓋体上壁、１６ａ：蓋体上壁パネル、１６ａ−１：外側表面、１６ａ−２：接触表面、１６ｂ：蓋体上壁カウンターパネル、１６ｂ−１：内側表面、１６ｂ−２：接触表面、１６ｃ：第１安定化フラップ、１６ｄ：第２安定化フラップ、
１８〜２２：端縁、
２４：蓋体前壁、２４ａ：蓋体前壁パネル、２４ｂ：サイド前壁カウンターパネル、
２６ａ〜２６ｋ：折曲線、
２８：蓋体後壁、２８ａ：蓋体平面パネル、
３０：第１蓋体側壁、３０ａ及び３０ｂ：サイドフラップ、
３１：折曲線、
３２：第２蓋体側壁、３２ａ及び３２ｂ：サイドフラップ、
３４：容器、
３６：ヒンジ、
３８：容器後壁、３８ａ：容器後壁パネル、
４０：容器下壁、４０ａ：容器下壁パネル、
４２：容器前壁、４２ａ：容器前壁パネル、
４４：第１容器側壁、４４ａ及び４４ｂ：容器サイドフラップ、
４６：第２容器側壁、４６ａ及び４６ｂ：容器サイドフラップ、
４８：ブランク、４８ａ：フレームパネル、４８ｂ及び４８ｃ：フレームサイドフラップ、
５０：折曲線、
５２：突起、
５４：中間帯
【図１ａ】
2018530483.tif 000003
【図１ｂ】
2018530483.tif 000004
【図２】
2018530483.tif 000005
【図３ａ】
2018530483.tif 000006
【図３ｂ】
2018530483.tif 000007
【図４】
2018530483.tif 000008
【国際調査報告】
2018530483.tif 000009
2018530483.tif 000010